(57)【要約】【課題】【解決手段】  防火スプリンクラー用の保護カバーは、１対の側壁と、この１対の側壁のそれぞれの上縁に接続された直交壁構造とを備える。直交壁構造は、１対の側壁の間の開口と整列した、直交壁構造の縁に沿って開いた溝をその中に備える。溝は、防火スプリンクラーのデフレクター取付けボスに係合するように構成された１対の対向するアーチ形部位を備えた１対の側縁を備える。アーチ形側壁が直交壁構造から延在し、アーチ形側壁の上端から内側に向けて延在して直交壁構造に対向する上壁が、防火スプリンクラーのデフレクターを収容するのに適した空洞を画定する。【選択図】  図１２
2019515744.tif 000002
【特許請求の範囲】
【請求項１】
防火スプリンクラー用の保護カバーであって、
１対の側壁と、
前記１対の側壁のそれぞれの上縁に接続された直交壁構造であって、前記直交壁構造が、前記１対の側壁の間の開口と整列した、前記直交壁構造の縁に沿って開いた溝をその中に備え、前記溝が、防火スプリンクラーのデフレクター取付けボスに係合するように構成された１対の対向するアーチ形部位を備えた１対の側縁を備える前記直交壁構造とを備えた前記保護カバー。
【請求項２】
前記１対の側壁のそれぞれが、対向する突出部分をその内側に備えた、請求項１に記載の保護カバー。
【請求項３】
前記１対の側壁のそれぞれが、前記１対の側壁の間の開口に沿って傾斜案内壁を備えた、請求項１に記載の保護カバー。
【請求項４】
前記１対の側壁のそれぞれが、前記１対の側壁の間の前記開口に沿って前方縁を備え、前記１対の側壁のそれぞれが、前記１対の側壁の後方縁の間に間隙を画定した前記後方縁を備える、請求項１に記載の保護カバー。
【請求項５】
前記直交壁構造が、前記溝と、前記１対の側壁の前記後方縁の間に画定された前記間隙との間に腹板を備える、請求項４に記載の保護カバー。
【請求項６】
前記直交壁構造から延在するアーチ形側壁と、前記アーチ形側壁の上端から内側に向けて延在して前記直交壁構造に対向する上壁とをさらに備え、前記直交壁構造、前記アーチ形側壁及び前記上壁が、防火スプリンクラーのデフレクターを収容するのに適した空洞を画定する、請求項１に記載の保護カバー。
【請求項７】
前記上壁から延在する取っ手をさらに備えた、請求項６に記載の保護カバー。
【請求項８】
前記１対の側壁のそれぞれが、前記後方縁に隣接する傾斜した下縁を備えた、請求項４に記載の保護カバー。
【請求項９】
前記１対の側壁のそれぞれが、前記防火スプリンクラーの工具係合部に係合する六角形部分を備えた、請求項１に記載の保護カバー。
【請求項１０】
防火スプリンクラー用の保護カバーであって、
１対の側壁と、
前記１対の側壁のそれぞれの上端に接続された直交壁構造を備えるデフレクター収容部と、前記直交壁構造から延在するアーチ形側壁と、前記アーチ形側壁の上端から内側に向けて延在して前記直交壁構造に対向する上壁とを備え、前記直交壁構造、前記アーチ形側壁及び前記上壁が、防火スプリンクラーのデフレクターを収容するのに適したデフレクター用空洞を画定し、前記直交壁構造が、前記１対の側壁の間の開口と整列した、前記直交壁構造の縁に沿って開いた溝をその中に備える前記保護カバー。
【請求項１１】
前記１対の側壁のそれぞれが、対向する突出部分をその内側に備えた、請求項１０に記載の保護カバー。
【請求項１２】
前記１対の側壁のそれぞれが、前記１対の側壁の間の開口に沿って傾斜案内壁を備えた、請求項１０に記載の保護カバー。
【請求項１３】
前記１対の側壁のそれぞれが、前記１対の側壁の間の前記開口に沿って前方縁を備え、前記１対の側壁のそれぞれが、前記１対の側壁の後方縁の間に間隙を画定した前記後方縁を備える、請求項１０に記載の保護カバー。
【請求項１４】
前記直交壁構造が、前記溝と、前記１対の側壁の前記後方縁の間に画定された前記間隙との間に腹板を備える、請求項１３に記載の保護カバー。
【請求項１５】
前記溝が、防火スプリンクラーのデフレクター取付けボスに係合するように構成された１対の対向するアーチ形部位を備えた１対の側縁を備える、請求項１０に記載の保護カバー。
【請求項１６】
前記上壁から延在する取っ手をさらに備えた、請求項１０に記載の保護カバー。
【請求項１７】
前記１対の側壁のそれぞれが、前記後方縁に隣接する傾斜した下縁を備えた、請求項１３に記載の保護カバー。
【発明の詳細な説明】
【関連出願の相互参照】
【０００１】
本出願は、２０１７年４月１３日に出願された米国出願第１５／４８６，４１３号に対する優先権を主張し、かつ、２０１６年５月１０日に出願された米国仮出願第６２／３３４，１８６号の利益を主張するものである。上記の出願の全ての開示全体は、参照により本明細書に援用される。
【技術分野】
【０００２】
本開示は、取付け及び取外しが可能な防火スプリンクラー用の保護キャップに関する。
【背景技術】
【０００３】
本項に記載の内容は、本開示に関連した背景となる情報について述べているものであり、必ずしも先行技術を構成するものではない。
【発明の概要】
【０００４】
本開示は、防火スプリンクラー用の保護カバーまたは出荷キャップに関する。カバーは、スプリンクラーに着脱自在に係合するように構成されて、スプリンクラーの通常の出荷及び取扱い中に、トリガ機構を保護するようにし、スプリンクラーへの取り付け、及びスプリンクラーからの取り外しが容易である。
【０００５】
防火スプリンクラー用の保護カバーは、１対の側壁と、この１対の側壁のそれぞれの上縁に接続された直交壁構造とを備える。直交壁構造は、１対の側壁の間の開口と整列した、直交壁構造の縁に沿って開いた溝をその中に備える。溝は、防火スプリンクラーのデフレクター取付けボスに係合するように構成された１対の対向するアーチ形部位を備えた１対の側縁を備える。アーチ形側壁が直交壁構造から延在し、アーチ形側壁の上端から内側に向けて延在して直交壁構造に対向する上壁が、防火スプリンクラーのデフレクターを収容するのに適した空洞を画定する。
【０００６】
さらなる適用分野は、本明細書で提供される記述から明らかになるであろう。本発明の概要における記述と具体例とは、例示のみを目的としたものであり、本開示の範囲を限定することを意図するものではない。
【０００７】
本明細書に記載されている図面は、選択された実施形態の例示のみを目的としたものであって、あり得る実施態様の全てではなく、本開示の範囲を限定することを意図するものではない。
【図面の簡単な説明】
【０００８】
【図１】本開示の原理による防火スプリンクラー及び保護キャップの斜視図である。
【図２】図１に示す防火スプリンクラー及び保護キャップの異なる角度からの斜視図である。
【図３】図１に示す防火スプリンクラー及び保護キャップの側面図である。
【図４】図１に示す防火スプリンクラー及び保護キャップの底面図である。
【図５】本開示の原理による、プルハンドルを備えていない保護キャップの斜視図である。
【図６】図５に示す保護キャップの異なる角度からの斜視図である。
【図７】図５に示す保護キャップの底面図である。
【図８】本開示の原理による、傾斜案内壁を備えていない保護キャップの斜視図である。
【図９】図８に示す保護キャップの異なる角度からの斜視図である。
【図１０】図８に示す保護キャップの上面図である。
【図１１】図１０の１１−１１線に沿った断面図である。
【図１２】本開示の原理による防火スプリンクラー及び代替保護キャップの側面斜視図である。
【図１３】図１２に示す防火スプリンクラー及び保護キャップの背面図である。
【図１４】図１２に示す保護キャップの正面斜視図である。
【図１５】図１２に示す保護キャップの側面図である。
【図１６】図１２に示す保護キャップの上面図である。
【図１７】図１２に示す保護キャップの正面図である。
【図１８】図１２に示す保護キャップの底面図である。
【図１９】図１７の１９−１９線に沿った断面図である。
【図２０】図１７の２０−２０線に沿った断面図である。
【図２１】図１７の２１−２１線に沿った断面図である。
【発明を実施するための形態】
【０００９】
図面のいくつかの図を通して、対応する参照番号は対応する部分を指す。
【００１０】
以下、例示の実施形態を、添付の図面を参照して、より詳しく説明する。
【００１１】
例示の実施形態は、本開示を完全なものにして、その範囲を当業者に十分に伝えるために提示されるものである。本開示の実施形態の理解の徹底を期すために、具体的な部品、装置、及び方法の例など、多数の詳細な具体策について説明を行う。当業者には、詳細な具体策を必ずしも用いる必要はなく、例示の実施形態を数多くのいろいろな形で実施することができ、いずれも本開示の範囲を限定するものと解釈すべきでないことは明らかであろう。一部の例示の実施形態では、周知のプロセス、周知の装置構造、及び周知の技術を詳細には記載していない。
【００１２】
本明細書で使用される用語は、特定の例示の実施形態を説明するためのものに過ぎず、限定することを意図するものではない。本明細書では、単数形「ａ」、「ａｎ」及び「ｔｈｅ」は、別様に文脈が明らかに指示しない限り、加えて複数形を含み得ることを意図している。「ｃｏｍｐｒｉｓｅｓ（備える）」、「ｃｏｍｐｒｉｓｉｎｇ（備えている）」、「ｉｎｃｌｕｄｉｎｇ（備えている）」、及び「ｈａｖｉｎｇ（有している）」という語は、全てを含むことを表し、したがって指定した特徴、整数、ステップ、操作、要素、及び／または部品の存在を明示するものであるが、１つ以上の他の特徴、整数、ステップ、操作、要素、部品、及び／またはそれらのグループの存在または追加を排除するものではない。本明細書に記載の方法ステップ、プロセス、及び操作は、実行の順序として具体的に断定しない限り、必ずしも説明し、または図示した特定の順序でそれらを実行する必要があると解釈されるべきではない。追加のまたは代替のステップを使用してよいことも理解すべきである。
【００１３】
本明細書中において、ある要素または層が別の要素または層に「ある」、「係合している」、「接続されている」、または「結合されている」という表現は、その要素または層が別の要素または層に直接ある、直接係合している、直接接続されている、または直接結合されている場合を含んでもよく、あるいは介在する要素または層があってもよい。これとは対照的に、ある要素が別の要素に「直接ある」、「直接係合している」、「直接接続されている」、または「直接結合されている」という表現が行われている場合には、介在する要素または層は存在しない。要素間の関係を記述するために使用される他の言葉は、同様の仕方で解釈されるべきである（例えば、「間に」か「直接間に」か、「隣接した」か「直接隣接した」か、など）。また、本開示においては、「及び／または」という語は、言及されている事項のそれぞれ単独あるいはそれらのあらゆる形態の組み合わせを含む意図で用いられている。
【００１４】
本開示においては、いろいろな要素、部品、領域、層、及び／または部分を記述するにあたって「第１の」、「第２の」、「第３の」などの語を用いる場合があるが、これらの要素、部品、領域、層、及び／または部分をその語によって制限的に解釈すべきではない。これらの語は、単に、個々の要素、部品、領域、層または部分を、他の領域、層または部分から識別する目的のみで使われる。本開示で使用される「第１の」、「第２の」、及び他の数に関する語などの語は、文脈によって明確に示されない限り、順序または順番を意味するものではない。したがって、以下の記述において、第１の要素、部品、領域、層または部分を、本例示の実施形態の趣旨から離れることなく、第２の要素、部品、領域、層または部分と言い換えることもできる。
【００１５】
空間的に相対的な語、例えば、「内の」、「外の」、「真下に」、「下に」、「下部の」、「上に」、「上部の」などは、本開示においては、図面に示すように、１つの要素または特徴と別の要素（複数可）または特徴（複数可）との関係を記述するために、説明を容易にする目的で使用され得る。空間的に相対的な語は、図面に描かれている向きに加えて、使用中または操作中の装置の種々の向きを包含することを意図している。例えば、図中の装置をひっくり返した場合、他の要素または特徴の「下に」または「真下に」と記載されている要素は、今度は他の要素または特徴の「上に」配置される。したがって、例示の語「下に」は、上に及び下に両方の向きを包含することができる。装置は、別の方法で（９０度または他の方位に回転させて）配置してもよく、本開示において使用される空間的に相対的な記述語はそれに伴って解釈される。
【００１６】
図１〜図４を参照すると、給水設備に接続されるように構成され、１対のフレームアーム１６を備えたネジ山付きベース１４を備える金属スプリンクラー本体１２を有した防火スプリンクラー１０に、保護キャップ３０が設けられる。流体通路１８は、スプリンクラー本体１２を貫通して延在し、入口端１８ｉと出口端１８ｏとを備える。スプリンクラー本体１２は、六角形の工具係合部２０を備えることができる。閉鎖装置２２は、通常、流体通路１８の出口端１８ｏに配置され、熱応答トリガ機構２４によって支持される。熱応答トリガ機構２４は、グラスバルブまたはヒュージブルリンクの形態をとることができる。フレームアーム１６の端部に配されたボス部２８に、デフレクター２６を取り付けることができる。
【００１７】
図５〜図７に最もよく示すように、保護キャップ３０は、１片のプラスチックから作ることができ、１対の対向した側壁３２を備えることができる。側壁３２は、連結壁３４によって片方の側縁３２ａに沿って互いに接続され、連結して第２の側縁３２ｂに沿って側方開口３６を画定する。側壁３２のそれぞれは、熱応答トリガ機構２４を保護する第１の部分３８と、防火スプリンクラー１０の六角形の工具係合部２０を収容する六角形構造を備え得る第２の部分４０とを備えることができる。側壁３２の第１の部分３８は、図のように、アーチ形か、または平坦にすることができる。端壁部分４２は、側壁３２の第１の部分３８の遠位端の間で、おおむね直交して延在することができ、側方開口３６から延在した内方延在溝４４を備えることができる。内方延在溝４４は、フレームアーム１６のボス２８と係合するように構成された半円部位４８と、溝の閉塞端４４に半円部位４８から延在する平行側壁部位５０とをそれぞれ画定する１対の側壁を備えることができる。溝４４の平行側壁部位５０は、フレームアーム１６をその中に収容する目的で設けてある。
【００１８】
側壁３２及び連結壁３４の底部には、ネジ山付きベース１４とスプリンクラー本体１２の工具係合部２０との間の環状凹部５４の中にスナップ嵌合されるように構成された半環状リブ５２を設けることができる。側壁３２には、保護キャップ３０を防火スプリンクラー１０上に押し込む際に、側壁３２の広がりを促進する、側方開口３６に沿って延在する傾斜案内壁５６を設けることもできる。図８〜図１１は、傾斜案内壁５６がない保護キャップ３０を示していることに留意すべきである。
【００１９】
図１〜図４及び図８〜図１１はまた、防火スプリンクラー１０からの保護キャップ３０の取り外しを容易にするために連結壁３４に接続することができるオプションのプルハンドル６０を備えた保護キャップ３０を示す。プルハンドル６０は、図５〜図７の任意的な実施形態には示していない。
【００２０】
本開示の保護キャップ３０は、側壁３２の底部の半環状リブ５２と、内方延在溝４４の半円部位４８とが、それぞれスプリンクラー本体１２の環状凹部５４とボス２８とにスナップ式で係合するように、側壁３２を離間させて広げながら、防火スプリンクラー１０上に一方の側から押し込むように設計されている。傾斜案内壁５６は、保護キャップ３０を、防火スプリンクラー１０上に、フレームアーム１６の平面に平行な横方向に押し込む間に、側壁３２を離間させて広げるのを支援するくさび形体として機能する。さらに、ハンドル６０は、フレームアーム１６の平面に平行な横方向で反対の向きに、防火スプリンクラー１０から保護キャップ３０を外すのに利用することができる。プルハンドル６０及び／または傾斜案内壁５８を省略した場合、側壁３２の側縁３２ｂをユーザの手によって広げることができ、または単にスプリンクラー１０に押し付けて、側壁３２が広がるようにすることができる。さらに、プルハンドル６０のない保護キャップを取り外す際には、傾斜案内壁５８または側壁３２を取り外し方向に押したり引いたりして、側壁３２を広げてスプリンクラー１０から外すことができる。
【００２１】
保護キャップ３０がスプリンクラー１０上に配備されている間に、側壁３２の六角形の第２の部分４０を工具に係合させることによって、防火スプリンクラー１０を、流体供給ライン上に設置できることに留意すべきである。その後、保護キャップ３０が防火スプリンクラー１０から離れるまでハンドル６０を横方向に引っ張ることによって、保護キャップ３０を容易に取り外すことができる。側壁３２の六角形の第２の部分４０の形状は、前述のアセンブリの特徴が排除される場合があるが、変更できることに注意すべきである。
【００２２】
図１２及び図１３を参照すると、給水設備に接続されるように構成され、１対のフレームアーム１１６を備えたネジ山付きベース１１４を備える金属スプリンクラー本体１１２を有した防火スプリンクラー１１０に、代替の保護キャップ１３０が設けられる。流体通路は、スプリンクラー本体１１２を貫通して延在し、入口端１１８ｉと出口端１１８ｏとを備える。スプリンクラー本体１１２は、六角形の工具係合部１２０を備えることができる。閉鎖装置１２２は、通常、流体通路１１８の出口端１１８ｏに配置され、熱応答トリガ機構１２４によって支持される。熱応答トリガ機構１２４は、グラスバルブまたはヒュージブルリンクの形態をとることができる。フレームアーム１１６の端部に配されたボス部（図示せず）に、デフレクター１２６（部分的に示す）を取り付けることができる。
【００２３】
図１２〜図２１に最もよく示すように、保護キャップ１３０は、１片のプラスチックから作ることができ、１対の対向した側壁１３２を備えることができる。側壁１３２は、上縁１３２に沿って、デフレクター収容部１３４に接続される。図１２及び図１３に示すように、取り付けた配置では、側壁１３２のそれぞれが熱応答トリガ機構１２４を保護する。側壁１３２は、図のように、アーチ形か、または平坦にすることができる。デフレクター収容部１３４は、１対の側壁１３２の遠位端の間で、おおむね直交して延在し得る、上壁１３６、部分的に円筒形の側壁１３８及び下壁１４２を備える。図１４及び図１８〜図２０に示すように、下壁１４２は、側壁１３２の間の側方開口１４６から延在する内方延在溝１４４を備えることができる。内方延在溝１４４は、フレームアーム１１６のボス１２８と係合するように構成された半円部位１４８と、溝の閉塞端１４４に半円部位１４８から延在する平行側壁部位１５０とをそれぞれ画定する１対の側壁を備えることができる。溝１４４の平行側壁部位１５０は、フレームアーム１６をその中に収容する目的で設けてある。
【００２４】
図２１に示すように、側壁１３２はそれぞれ、そこから内方に延在する丸みを帯びた突出部分１５２を備える。丸みを帯びた突出部分１５２は、フレームアーム１１６の１つに係合して、フレームアーム１１６上で保護キャップに固定可能に係合するように設計されている。側壁１３２には、保護キャップ１３０を防火スプリンクラー１１０上に押し込む際に、側壁１３２の広がりを促進する、側方開口１３６に沿って延在する傾斜案内壁１５６を設けることもできる。
【００２５】
図１〜図４及び図８〜図１１はまた、防火スプリンクラー１１０からの保護キャップ１３０の取り外しを容易にするために、デフレクター収容部１３４の上壁１３６から延在することができる取っ手１６０を備えた保護キャップ１３０を示す。１対の側壁１３２のそれぞれは、１対の側壁１３２の間の開口１４６に沿って前方傾斜縁１５６を備え、１対の側壁１３２のそれぞれは、１対の側壁１３２の後方縁１５８の間に間隙１５９を画定した後方縁１５８を備える。１対の側壁１３２のそれぞれは、後方縁１５８に隣接する傾斜した下縁１６１を備える。デフレクター収容部１３４の下壁１４２は、溝１４４と、１対の側壁１３２の後方縁１５８の間に画定された間隙１５９との間に腹板１６２を備える。
【００２６】
本開示の保護キャップ１３０は、それぞれ、側壁１３２の内側の丸みを帯びた突出部分１５２がフレームアーム１１６と係合するとともに、内方延在溝１４４の半円部位１４８がボス１２８にスナップ式で係合するように、側壁１３２を離間させて広げながら、防火スプリンクラー１１０上に一方の側から押し込むように設計されている。傾斜案内壁１５６は、保護キャップ１３０を、防火スプリンクラー１１０上に、フレームアーム１１６の平面に平行な横方向に押し込む間に、側壁１３２を離間させて広げるのを支援するくさび形体として機能する。さらに、取っ手１６０は、フレームアーム１１６の平面に平行な横方向で反対の向きに、防火スプリンクラー１１０から保護キャップ１３０を外すのに利用することができる。追加の側方取っ手突出部１６４は、保護キャップ１３０を差し込んだり、取り外したりするための付加的な取っ手を提供する目的で、デフレクター収容部１３４の部分的に円筒形の側壁１３８から延在させることができる。
【００２７】
保護キャップ１３０がスプリンクラー１１０上に配備されている間に、防火スプリンクラー１１０を、流体供給ライン上に設置できることに留意すべきである。その後、保護キャップ１３０が防火スプリンクラー１１０から離れるまで取っ手１６０を横方向に引っ張ることによって、保護キャップ１３０を容易に取り外すことができる。
【００２８】
先の実施形態の記述は、例示及び説明のために提供されたものである。網羅的であること、または本開示を限定することを意図するものではない。特定の実施形態の個々の要素または特徴は、通常、その特定の実施形態に限定されるものではないが、適用可能であれば、交換可能であり、特に図示または説明されていない場合であっても、選択された実施形態で使用することができる。それは様々に変形させることもできる。そのような変形は、本開示からの逸脱とみなされるべきではなく、そのような変更の全ては、本開示の範囲内に含まれることが意図される。
【図１】
2019515744.tif 000003
【図２】
2019515744.tif 000004
【図３】
2019515744.tif 000005
【図４】
2019515744.tif 000006
【図５】
2019515744.tif 000007
【図６】
2019515744.tif 000008
【図７】
2019515744.tif 000009
【図８】
2019515744.tif 000010
【図９】
2019515744.tif 000011
【図１０】
2019515744.tif 000012
【図１１】
2019515744.tif 000013
【図１２】
2019515744.tif 000014
【図１３】
2019515744.tif 000015
【図１４】
2019515744.tif 000016
【図１５】
2019515744.tif 000017
【図１６】
2019515744.tif 000018
【図１７】
2019515744.tif 000019
【図１８】
2019515744.tif 000020
【図１９】
2019515744.tif 000021
【図２０】
2019515744.tif 000022
【図２１】
2019515744.tif 000023
【手続補正書】
【提出日】平成30年10月24日(2018.10.24)
【手続補正１】
【補正対象書類名】特許請求の範囲
【補正対象項目名】全文
【補正方法】変更
【補正の内容】
【特許請求の範囲】
【請求項１】
防火スプリンクラー用の保護カバーであって、
１対の側壁と、
前記１対の側壁のそれぞれの上縁に接続された直交壁構造であって、前記直交壁構造が、前記１対の側壁の間の開口と整列した、前記直交壁構造の縁に沿って開いた溝をその中に備え、前記溝が、防火スプリンクラーのデフレクター取付けボスに係合するように構成された１対の対向するアーチ形部位を備えた１対の側縁を備える前記直交壁構造とを備えた前記保護カバー。
【請求項２】
前記１対の側壁のそれぞれが、対向する突出部分をその内側に備えた、請求項１に記載の保護カバー。
【請求項３】
前記１対の側壁のそれぞれが、前記１対の側壁の間の開口に沿って傾斜案内壁を備えた、請求項１に記載の保護カバー。
【請求項４】
前記１対の側壁のそれぞれが、前記１対の側壁の間の前記開口に沿って前方縁を備え、前記１対の側壁のそれぞれが、前記１対の側壁の後方縁の間に間隙を画定した前記後方縁を備える、請求項１に記載の保護カバー。
【請求項５】
前記直交壁構造から延在するアーチ形側壁と、前記アーチ形側壁の上端から内側に向けて延在して前記直交壁構造に対向する上壁とをさらに備え、前記直交壁構造、前記アーチ形側壁及び前記上壁が、防火スプリンクラーのデフレクターを収容するのに適した空洞を画定する、請求項１に記載の保護カバー。
【請求項６】
前記１対の側壁のそれぞれが、前記後方縁に隣接する傾斜した下縁を備えた、請求項４に記載の保護カバー。
【請求項７】
前記１対の側壁のそれぞれが、前記防火スプリンクラーの工具係合部に係合する六角形部分を備えた、請求項１に記載の保護カバー。
【請求項８】
防火スプリンクラー用の保護カバーであって、
１対の側壁と、
前記１対の側壁のそれぞれの上端に接続された直交壁構造を備えるデフレクター収容部と、前記直交壁構造から延在するアーチ形側壁と、前記アーチ形側壁の上端から内側に向けて延在して前記直交壁構造に対向する上壁とを備え、前記直交壁構造、前記アーチ形側壁及び前記上壁が、防火スプリンクラーのデフレクターを収容するのに適したデフレクター用空洞を画定し、前記直交壁構造が、前記１対の側壁の間の開口と整列した、前記直交壁構造の縁に沿って開いた溝をその中に備える前記保護カバー。
【請求項９】
前記１対の側壁のそれぞれが、対向する突出部分をその内側に備えた、請求項８に記載の保護カバー。
【請求項１０】
前記１対の側壁のそれぞれが、前記１対の側壁の間の開口に沿って傾斜案内壁を備えた、請求項８に記載の保護カバー。
【請求項１１】
前記１対の側壁のそれぞれが、前記１対の側壁の間の前記開口に沿って前方縁を備え、前記１対の側壁のそれぞれが、前記１対の側壁の後方縁の間に間隙を画定した前記後方縁を備える、請求項８に記載の保護カバー。
【請求項１２】
前記溝が、防火スプリンクラーのデフレクター取付けボスに係合するように構成された１対の対向するアーチ形部位を備えた１対の側縁を備える、請求項８に記載の保護カバー。
【請求項１３】
前記上壁から延在する取っ手をさらに備えた、請求項８に記載の保護カバー。
【手続補正２】
【補正対象書類名】明細書
【補正対象項目名】００２８
【補正方法】変更
【補正の内容】
【００２８】
先の実施形態の記述は、例示及び説明のために提供されたものである。網羅的であること、または本開示を限定することを意図するものではない。特定の実施形態の個々の要素または特徴は、通常、その特定の実施形態に限定されるものではないが、適用可能であれば、交換可能であり、特に図示または説明されていない場合であっても、選択された実施形態で使用することができる。それは様々に変形させることもできる。そのような変形は、本開示からの逸脱とみなされるべきではなく、そのような変更の全ては、本開示の範囲内に含まれることが意図される。
以下に、本願出願の当初の特許請求の範囲に記載された発明を付記する。
［１］防火スプリンクラー用の保護カバーであって、１対の側壁と、前記１対の側壁のそれぞれの上縁に接続された直交壁構造であって、前記直交壁構造が、前記１対の側壁の間の開口と整列した、前記直交壁構造の縁に沿って開いた溝をその中に備え、前記溝が、防火スプリンクラーのデフレクター取付けボスに係合するように構成された１対の対向するアーチ形部位を備えた１対の側縁を備える前記直交壁構造とを備えた前記保護カバー。
［２］前記１対の側壁のそれぞれが、対向する突出部分をその内側に備えた、［１］に記載の保護カバー。
［３］前記１対の側壁のそれぞれが、前記１対の側壁の間の開口に沿って傾斜案内壁を備えた、［１］に記載の保護カバー。
［４］前記１対の側壁のそれぞれが、前記１対の側壁の間の前記開口に沿って前方縁を備え、前記１対の側壁のそれぞれが、前記１対の側壁の後方縁の間に間隙を画定した前記後方縁を備える、［１］に記載の保護カバー。
［５］前記直交壁構造が、前記溝と、前記１対の側壁の前記後方縁の間に画定された前記間隙との間に腹板を備える、［４］に記載の保護カバー。
［６］前記直交壁構造から延在するアーチ形側壁と、前記アーチ形側壁の上端から内側に向けて延在して前記直交壁構造に対向する上壁とをさらに備え、前記直交壁構造、前記アーチ形側壁及び前記上壁が、防火スプリンクラーのデフレクターを収容するのに適した空洞を画定する、［１］に記載の保護カバー。
［７］前記上壁から延在する取っ手をさらに備えた、［６］に記載の保護カバー。
［８］前記１対の側壁のそれぞれが、前記後方縁に隣接する傾斜した下縁を備えた、［４］に記載の保護カバー。
［９］前記１対の側壁のそれぞれが、前記防火スプリンクラーの工具係合部に係合する六角形部分を備えた、［１］に記載の保護カバー。
［１０］防火スプリンクラー用の保護カバーであって、１対の側壁と、前記１対の側壁のそれぞれの上端に接続された直交壁構造を備えるデフレクター収容部と、前記直交壁構造から延在するアーチ形側壁と、前記アーチ形側壁の上端から内側に向けて延在して前記直交壁構造に対向する上壁とを備え、前記直交壁構造、前記アーチ形側壁及び前記上壁が、防火スプリンクラーのデフレクターを収容するのに適したデフレクター用空洞を画定し、前記直交壁構造が、前記１対の側壁の間の開口と整列した、前記直交壁構造の縁に沿って開いた溝をその中に備える前記保護カバー。
［１１］前記１対の側壁のそれぞれが、対向する突出部分をその内側に備えた、［１０］に記載の保護カバー。
［１２］前記１対の側壁のそれぞれが、前記１対の側壁の間の開口に沿って傾斜案内壁を備えた、［１０］に記載の保護カバー。
［１３］前記１対の側壁のそれぞれが、前記１対の側壁の間の前記開口に沿って前方縁を備え、前記１対の側壁のそれぞれが、前記１対の側壁の後方縁の間に間隙を画定した前記後方縁を備える、［１０］に記載の保護カバー。
［１４］前記直交壁構造が、前記溝と、前記１対の側壁の前記後方縁の間に画定された前記間隙との間に腹板を備える、［１３］に記載の保護カバー。
［１５］前記溝が、防火スプリンクラーのデフレクター取付けボスに係合するように構成された１対の対向するアーチ形部位を備えた１対の側縁を備える、［１０］に記載の保護カバー。
［１６］前記上壁から延在する取っ手をさらに備えた、［１０］に記載の保護カバー。
［１７］前記１対の側壁のそれぞれが、前記後方縁に隣接する傾斜した下縁を備えた、［１３］に記載の保護カバー。
【国際調査報告】
2019515744.tif 000024